(57)【要約】【課題】圧損の増大を抑制でき、騒音を低減でき、かつ、空調空気の風向を精度高く調整できる空調用レジスタを提供すること。【解決手段】空調用レジスタのフィン群に、互いに隣接し２以上かつフィンの総数よりも少ない数のフィンからなるフィン組を少なくとも１つ設け、同じフィン組に属するフィンの枢支軸同士を通る平面と、互いに隣接し同じフィン組に属さないフィンの枢支軸同士を通る平面とが交叉するようにし、フィンが所定位置にまで揺動したときに、同じフィン組に属するフィン同士が連なるようにする。同じフィン組に属するフィン同士は、所定位置にまで揺動したときに連なるため、所定位置におけるフィンの実質的な枚数は、その他の位置におけるフィンの枚数よりも少なくなる。したがって、フィンが所定位置まで揺動したときの空調空気の流路を充分に確保できる。【選択図】図３
2007269114.tif 000002
【特許請求の範囲】
【請求項１】
空調用空気の流路および吹き出し開口を構成する筒状のリテーナと、該リテーナの内部に枢支され同期して揺動する複数のフィンが互いに平行に配列してなるフィン群と、を持ち、
該フィン群は、互いに隣接し２以上かつ該フィンの総数よりも少ない数の該フィンからなるフィン組を少なくとも１つ持ち、
同じ該フィン組に属する該フィンの枢支軸同士を通る平面と、互いに隣接し同じ該フィン組に属さない該フィンの枢支軸同士を通る平面と、は交叉し、
該フィンが所定位置にまで揺動したときに、同じ該フィン組に属する該フィン同士は連なることを特徴とする空調用レジスタ。
【請求項２】
前記フィンが前記所定位置にまで揺動したときに、同じ前記フィン組に属する前記フィン同士は直線的に連なる請求項１に記載の空調用レジスタ。
【請求項３】
前記吹き出し開口を含む平面と前記所定位置における前記フィンとのなす角は、前記吹き出し開口を含む平面と前記所定位置以外の位置における前記フィンとのなす角よりも小さい請求項１に記載の空調用レジスタ。
【請求項４】
前記吹き出し開口を含む平面は、前記リテーナが延びる方向と直角以外の角度で交叉する請求項１に記載の空調用レジスタ。
【請求項５】
前記フィンは、前記リテーナに対して上下方向に揺動し、前記所定位置において前記空調空気の風向を下方に調整する請求項１に記載の空調用レジスタ。
【発明の詳細な説明】
【技術分野】
【０００１】
本発明は空調装置に接続され、室内に向けた空調空気の風向を調整する空調用レジスタに関する。
【背景技術】
【０００２】
自動車のインストルメントパネルなどには、空調装置からの空調空気を吹き出すとともに空調空気の風向を調整するレジスタが設けられている（例えば、特許文献１参照）。
【０００３】
図６に示すように、一般的な空調用レジスタは、リテーナ１００とフィン群４００とを持つ。リテーナ１００は筒状をなし空調用空気の流路および吹き出し開口１２０を構成する。フィン群４００は、リテーナ１００の内部に枢支されている複数のフィン４０１が互いに平行に配列されてなる。図６に示すレジスタでは、各フィン４０１が枢支軸４６０を中心に揺動して、リテーナ１００の内部を流通する空調空気の風向を調整する。
【０００４】
図６に示す空調用レジスタにおいては、フィン４０１が揺動すると、吹き出し開口１２０を含む平面６５０（以下、吹き出し面と呼ぶ）とフィン４０１とがなす角が変化する。そして、吹き出し面６５０とフィン４０１とがなす角が９０°に近くなるほど隣接するフィン４０１同士の間隙Ｗが大きくなり、吹き出し面６５０とフィン４０１とがなす角が０°に近くなるほど隣接するフィン４０１同士の間隙Ｗが小さくなる。
【０００５】
ところで、近年では自動車にカーナビゲーションシステムを搭載するのが一般的になっている。そして、一般には、カーナビゲーションシステム用のモニタはインストルメントパネルに配設され、空調用レジスタはモニタの上方に配置される。インストルメントパネルの上端部は傾斜形状に形成されているため、空調用レジスタをモニタの上方に配置する場合には、吹き出し面６５０はインストルメントパネルの上端部に対応した傾斜形状に形成される（図７）。図７に示すように、吹き出し面６５０が傾斜形状に形成されている空調用レジスタでは、特に下方向に空調空気の風向を調整する際に、隣接するフィン４０１同士の間隙Ｗが過小になる。
【０００６】
したがって、図６や図７に示す従来のレジスタでは、フィン４０１の配置位置や枚数などによっては、フィン４０１を揺動させることによって間隙Ｗが過小あるいは過大になる場合があった。間隙Ｗが過小になると、圧損が大きくなり、間隙Ｗを流通する空調空気による騒音も大きくなる問題が生じる。間隙Ｗが過大になると、間隙Ｗを流通する空調空気の風向を精度高く調整するのが困難になる。また図７に示す従来のレジスタでは、空調空気の流れ方向における隣接するフィン４０１同士の重なり量がなくなるため、空調空気の風向を下方に精度高く調整するのが困難になる問題もある。
【０００７】
図８に示すように、フィン４０１を空調空気の流れ方向に長く形成して、空調空気の流れ方向における隣接するフィン４０１同士の重なり量Ｗ１（以下、フィン４０１同士の重なり量と呼ぶ）を大きくすれば、空調空気の風向を下方に精度高く調整できると考えられる。しかしこの場合には、空調空気の流路がほぼ閉ざされるため、圧損がさらに大きくなり、隣接するフィン４０１同士の間隙Ｗを流通する空調空気による騒音もさらに大きくなる。フィン４０１の枚数を少なくすれば、フィン４０１を下方に向けたときの間隙Ｗを大きくできると考えられるが、この場合には、フィン４０１を下方以外の方向に向けたときの間隙Ｗが過大になり、空調空気の風向を下方以外の方向に精度高く調整するのが困難になる。
【特許文献１】特開平１１−１３９１５６号公報
【発明の開示】
【発明が解決しようとする課題】
【０００８】
本発明は上記事情に鑑みて成されたものであり、圧損の増大を抑制でき、騒音を低減でき、かつ、空調空気の風向を精度高く調整できる空調用レジスタを提供することを目的とする。
【課題を解決するための手段】
【０００９】
上記課題を解決する本発明の空調用レジスタは、空調用空気の流路および吹き出し開口を構成する筒状のリテーナと、リテーナの内部に枢支され同期して揺動する複数のフィンが互いに平行に配列してなるフィン群と、を持ち、フィン群は、互いに隣接し２以上かつフィンの総数よりも少ない数のフィンからなるフィン組を少なくとも１つ持ち、同じフィン組に属するフィンの枢支軸同士を通る平面と、互いに隣接し同じフィン組に属さないフィンの枢支軸同士を通る平面とは交叉し、フィンが所定位置にまで揺動したときに、同じフィン組に属するフィン同士は連なることを特徴とする。
【００１０】
本発明のレジスタは、下記の構成（１）〜（４）の何れかを備えるのが好ましい。構成（１）〜（４）の複数を備えるのが望ましい。
（１）上記フィンが上記所定位置にまで揺動したときに、同じフィン組に属する上記フィン同士は直線的に連なる。
（２）上記吹き出し開口を含む平面と上記所定位置における上記フィンとのなす角は、上記吹き出し開口を含む平面と上記所定位置以外の位置における上記フィンとのなす角よりも小さい。
（３）上記吹き出し開口を含む平面は、上記リテーナが延びる方向と直角以外の角度で交叉する。
（４）上記フィンは上記リテーナに対して上下方向に揺動し、上記所定位置において上記空調空気の風向を下方に調整する。
【発明の効果】
【００１１】
本発明の空調用レジスタにおいて、フィン群は、互いに隣接し２以上かつフィンの総数よりも少ない数のフィンからなるフィン組を少なくとも１つ持つ。そして、フィンが所定位置にまで揺動したときに、同じフィン組に属するフィン同士は連なる。換言すれば、同じフィン組に属するフィン同士は、所定位置においては互いに合わさって１枚のフィンであるかのように働く。このため、所定位置におけるフィンの実質的な枚数は、その他の位置におけるフィンの枚数よりも少なくなる。したがって、本発明の空調用レジスタでは、所定位置における空調空気の流路（互いに隣接し同じフィン組に属さないフィン同士の間隙）を充分に確保できる。このため、各フィンの空調空気流れ方向の長さを長くして、フィン同士の重なり量を大きくしても、その他の位置において隣接するフィン同士の間隙が過大になることはない。
【００１２】
さらに、本発明の空調用レジスタでは、同じフィン組に属するフィンの枢支軸同士を通る平面と、互いに隣接し同じフィン組に属さないフィンの枢支軸同士を通る平面とは交叉する。このため、所定位置において全てのフィンが連なることはなく、互いに隣接し同じフィン組に属さないフィン同士の間隙を充分に確保できる。
【００１３】
よって、本発明の空調用レジスタは、圧損の増大を抑制でき、騒音を低減でき、かつ、空調空気の風向を精度高く調整できる。
【００１４】
本発明の空調用レジスタが上記構成（１）を備える場合には、圧損の増大を抑制しつつ風向をより精度高く調整できる。
【００１５】
本発明の空調用レジスタが上記構成（２）を備える場合には、フィンの揺動角度を問わず、圧損の増大を抑制でき、騒音を低減でき、かつ、空調空気の風向を精度高く調整できる。すなわち、上述したように、吹き出し面とフィンとのなす角が９０°に近くなるほど隣接するフィン同士の間隙が大きくなり、吹き出し面とフィンとのなす角が０°に近くなるほど隣接するフィン同士の間隙が小さくなる。したがって、図６〜７に示すような従来のレジスタでは、吹き出し面とフィンとのなす角が最小になる位置にまでフィンが揺動したときには、圧損が増大し、騒音が生じ、かつ、空調空気の風向を精度高く調整できない問題が生じる。本発明の空調用レジスタが上記構成（２）を備える場合には、隣接するフィン同士の間隙が最小になるときに、互いに隣接し同じフィン組に属さないフィン同士の間隙を充分に確保できるため、フィンの揺動角度を問わず、圧損の増大を抑制でき、騒音を低減でき、かつ、空調空気の風向を精度高く調整できる。
【００１６】
なお、本発明の空調用レジスタにおいて、吹き出し面と所定位置におけるフィンとのなす角、および、吹き出し面と所定位置以外の位置におけるフィンとのなす角は、フィンと吹き出し面とのなす角のなかで鋭角の方を指す。
【００１７】
本発明の空調用レジスタは、上記構成（３）を備える空調用レジスタとして特に好ましく用いられる。すなわち、図７に示すように、従来の空調用レジスタでは吹き出し面を傾斜形状に形成すると、吹き出し面とフィンとのなす角が最小になる位置にまでフィンが揺動したときには、隣接するフィン同士の間隙が極めて小さくなる。この場合には、上述したように、圧損が増大し、騒音が発生し、かつ、空調空気の風向を精度高く調整できない場合がある。本発明の空調用レジスタは、所定位置における空調空気の流路（互いに隣接し同じフィン組に属さないフィン同士の間隙）を充分に大きくしても、その他の位置における空調空気の流路（互いに隣接するフィン同士の間隙）が過大になることはないため、傾斜形状の吹き出し開口をもつ空調用レジスタとして特に好ましく用いることができる。
【００１８】
本発明の空調用レジスタは、上記構成（４）を備える空調用レジスタとして特に好ましく用いられる。すなわち、図７に示すように、従来の空調用レジスタをモニタとともに自動車のインストルメントパネルに配置する場合には、フィンを下向させると吹き出し面とフィンとのなす角が非常に小さくなり、隣接するフィン同士の間隙が非常に小さくなる。このため、空調空気の風向を下方に精度高く調整するのが困難であった。本発明の空調用レジスタでは、フィンが所定位置（下向する位置）に配されているときの空調空気の流路（互いに隣接し同じフィン組に属さないフィン同士の間隙）を充分に確保でき、かつ、フィンが所定位置以外の位置に配されているときの空調空気の流路（互いに隣接するフィン同士の間隙）を充分に小さくできる。したがって、上記構成（４）を備える本発明の空調用レジスタは、モニタとともに自動車のインストルメントパネルに配置する場合にも、空調空気の風向を下方に精度高く調整できる。
【発明を実施するための最良の形態】
【００１９】
本発明の空調用レジスタにおいて、同じフィン組に属するフィン同士は、同じ形状であっても良いし、異なる形状であっても良い。また、各フィンにおける枢支軸の位置や、リテーナに対する枢支軸の位置は、吹き出し面と所定位置におけるフィンとのなす角、吹き出し面と所定位置以外の位置におけるフィンとのなす角、リテーナの形状、フィンの形状等に基づいて適宜設定すればよい。さらに、同じフィン組に属するフィン同士は、所定位置において連なれば良く、曲線的に連なっても良いし、屈曲しつつ連なっても良い。また、同じフィン組に属するフィン同士は、所定位置において互いに接触していても良いし、離間していても良い。圧損の増大をより確実に抑制しつつ空調空気の風向をより精度高く調整するためには、同じフィン組に属するフィン同士は所定位置において直線的に連なるのが好ましい。また、同じフィン組に属するフィン同士は、所定位置においてなるべく近接しているのが好ましく、表面が接触し合うのが望ましい。空調空気をより滑らかに流通させるためである。
【００２０】
なお本発明の空調用レジスタは２以上のフィン組を備えるのが好ましい。空調空気の風向をより精度高く調整するためである。
【００２１】
本発明の空調用レジスタは、１のみのフィン群を持っても良いし、２以上のフィン群を持っても良い。例えば、空調空気の風向を上下に調整する複数のフィンからなるフィン群（横フィン群）と、空調空気の風向を左右に調整する複数のフィンからなるフィン群（縦フィン群）との両者を持っても良い。本発明の空調用レジスタが２以上のフィン群を持つ場合、全てのフィン群がフィン組を持っても良いし、１つのフィン群のみがフィン組を持っても良い。
【００２２】
なお、本発明の空調用レジスタでは、同じフィン組に属するフィンを同期して揺動させるための構造をフィン自身に設けても良いし、フィンとは別に設けても良い。さらに、本発明の空調用レジスタは、リテーナおよびフィン群の他に、フィンの回動を駆動するための操作手段などの、既知の空調用レジスタに設けられる各種の構造を設けることができる。
【実施例】
【００２３】
以下、本発明の空調用レジスタを図面を基に説明する。
【００２４】
（実施例）
実施例の空調用レジスタは、カーナビゲーション用のモニタ（図略）とともに自動車のインストルメントパネルに配設される。実施例の空調用レジスタは上記構成（１）〜（４）を備える。実施例の空調用レジスタを模式的に表す分解斜視図を図１に示す。実施例の空調用レジスタの動作を説明する説明図を図２〜図５に示す。なお、図２〜図５は、図１に示す実施例のレジスタを左側から見た様子を模式的に表す。以下、本実施例において上、下、左、右、前、後とは、図１に示す上、下、左、右、前、後を指す。
【００２５】
図１に示すように、実施例の空調用レジスタは、リテーナ１とフィン群２（縦フィン群３、横フィン群４）とを持つ。リテーナ１は、リテーナ本体１０とベゼル１１とからなる。リテーナ本体１０は前後方向に延び２端が開口した略角筒状をなす。リテーナ本体１０の後端は図略の空調装置に接続される。リテーナ本体１０の前端は枠状のベゼル１１で覆われている。ベゼル１１の略中央部は略矩形状に開口している。この開口が吹き出し開口１２となる。吹き出し開口１２は後上方から前下方に向けて傾斜している。吹き出し面は、リテーナ１が延びる方向（前後方向）に対して鋭角に交叉している。すなわち、吹き出し面は、リテーナ１が延びる方向と直角以外の角度で交叉する。
【００２６】
実施例の空調用レジスタは２つのフィン群２（縦フィン群３、横フィン群４）を持つ。実施例の空調用レジスタにおいて、縦フィン群３は、互いに平行に左右方向に配列した５枚の縦フィン３０からなる。縦フィン群３のなかで、中央に配されている縦フィン３０を操作縦フィン３１と呼び、その他のフィンを一般縦フィン３２と呼ぶ。各縦フィン３０は長尺の板状をなし、長手方向の２端に突起状の縦枢支軸３５を持つ。縦枢支軸３５の一方である上側枢支軸３５Ｕは、リテーナ本体１０の上壁とベゼル１１との間隙に枢支されている。縦枢支軸３５の他方である下側枢支軸３５Ｄは、リテーナ本体１０の下壁とベゼル１１との間隙に枢支されている。各縦フィン３０は上側枢支軸３５Ｕおよび下側枢支軸３５Ｄを中心に同期して揺動する。
【００２７】
詳しくは、操作縦フィン３１の下側枢支軸３５Ｄは直線的に延び、リテーナ本体１０の下壁とベゼル１１との間隙に枢支されている（図２）。この下側枢支軸３５Ｄの先端側には、操作ノブ５が枢支されている。操作ノブ５は、操作縦フィン３１に対して上下方向に揺動可能である。また、操作ノブ５と操作縦フィン３１とは同期して左右方向に揺動する。操作ノブ５の前側部分は略半球状をなす。操作ノブ５の後側部分には後方に延びる縦フィン駆動部（図略）が形成されている。縦フィン駆動部の後端はギア状をなし、後述する縦リンク部材５０と噛合う。ベゼル１１には略円形の操作窓部１３が形成されている。操作ノブ５の前側部分は、操作窓部１３を介して外界に露出している。
【００２８】
図２に示すように、各一般縦フィン３２の下側枢支軸３５Ｄは、リテーナ本体１０の下壁とベゼル１１との間隙に枢支されている。各一般縦フィン３２の下側枢支軸３５Ｄの先端には、図１に示すフィン側縦リンク部３６が固着されている。なお、図２〜図６では、フィン側縦リンク部３６を略している。フィン側縦リンク部３６は、下側枢支軸３５Ｄと平行に延びる先端部３６０と、下側枢支軸３５Ｄと先端部３６０とを連結する連結部３６１とからなる。先端部３６０は下側枢支軸３５Ｄと段違いに配されている。先端部３６０は縦リンク部材５０に枢支されている。
【００２９】
縦リンク部材５０は長尺の板状をなす。縦リンク部材５０の前面には、操作ノブ５の縦フィン駆動部と噛合うラックが形成されている。ユーザーが操作ノブ５に左右方向の力を加えると、操作ノブ５は左右に揺動し、この揺動に同期して操作縦フィン３１が左右に揺動する。操作縦フィン３１が左右に揺動すると、縦リンク部材５０が左右にスライド移動し、一般縦フィン３２が操作縦フィン３１に同期して左右に揺動する。
【００３０】
実施例の空調用レジスタにおいて、横フィン群４は５枚の横フィン４０からなる。５枚の横フィン４０は後上方から前下方に向けて、互いに平行に配列している。５枚の横フィン４０を後上方から前下方に向けて、第１横フィン４１、第２横フィン４２、第３横フィン４３、第４横フィン４４、第５横フィン４５と呼ぶ。第２横フィン４２と第３横フィン４３とはフィン組（第１フィン組４０ａ）を構成し、第４横フィン４４と第５横フィン４５とはフィン組（第２フィン組４０ｂ）を構成する。すなわち、実施例の空調用レジスタにおける横フィン４０群４は、２つのフィン組（４０ａ、４０ｂ）を持つ。
【００３１】
各横フィン４０は長尺の板状をなし、長手方向の２端に突起状の横枢支軸４６を持つ。横枢支軸４６の一方である左側枢支軸４６Ｌは、リテーナ本体１０の左壁に枢支されている。横枢支軸４６の他方である右側枢支軸４６Ｒは、リテーナ本体１０の右壁に枢支されている。第３横フィン４３は第２横フィン４２よりも前後方向（空調空気流れ方向）の長さが長く、第５横フィン４５は第４横フィン４４よりも前後方向の長さが長い。
【００３２】
各左側枢支軸４６Ｌの先端には、フィン側横リンク部４７が固着されている。フィン側横リンク部４７は、左側枢支軸４６Ｌと平行に延びる先端部４７０と、左側枢支軸４６Ｌと先端部４７０とを連結する連結部４７１とからなる。先端部４７０は左側枢支軸４６Ｌと段違いに配されている。各左側枢支軸４６Ｌはリテーナ本体１０の左壁に枢支されている。連結部４７１および先端部４７０は左壁の左方に露出している。左壁の左方には横リンク部材５５が配されている。横リンク部材５５は、長尺の板状をなすリンク本体５５０と、リンク本体５５０の先端に形成されている略コ字状のリンク基部５５１と、リンク基部５５１の端部に形成され左右に延びる略棹状のリンク入力部５５２とを持つ。フィン側横リンク部４７の先端部４７０は、それぞれ、横リンク部材５５のリンク本体５５０に枢支されている。
【００３３】
操作ノブ５の後側部分には、後方に延びる横フィン駆動部５１が形成されている。横フィン駆動部５１の先端には略球状の駆動入力部５１０が形成されている。横フィン駆動部５１は接続部材５６を介して横リンク部材５５に接続されている。接続部材５６は、略板状をなす基部５６０と、２つの固定脚部５６１と、１つの入力保持部５６２と、１つの接続脚部５６３とを持つ。２つの固定脚部５６１は基部５６０の長手方向の２端からそれぞれ突出する。固定脚部５６１には貫通孔が形成されている。入力保持部５６２は長手方向の略中央部から固定脚部５６１と同方向に突出する。入力保持部５６２は基部５６０の長手方向に沿って延びる。また、入力保持部５６２は、互いに離間している２つの立壁からなる。接続脚部５６３は、基部５６０の長手方向の１端から、固定脚部５６１と反対方向に突出する。接続脚部５６３には長孔が形成されている。固定脚部５６１の貫通孔は、ベゼル１１の裏面に形成されている棹状のスライド保持棹１１０に挿通されている。スライド保持棹１１０は左右に延びているため、接続部材５６はベゼル１１に対して左右にスライドできるように保持される。
【００３４】
入力保持部５６２は、２つの立壁の間隙に、横フィン駆動部５１の駆動入力部５１０を保持する。また、接続脚部５６３の長孔には、横リンク部材５５のリンク入力部５５２が挿通される。したがって、接続部材５６は横リンク部材５５に対しても左右にスライドできる。ユーザーが操作ノブ５に上下方向の力を加え、操作ノブ５が上下に揺動すると、接続部材５６もまた上下に揺動する。接続部材５６が上下に揺動すると、横リンク部材５５が上下にスライド移動する。接続部材５６はベゼル１１に対して左右にスライドでき、かつ、横リンク部材５５に対しても左右にスライドできるため、操作ノブ５が左右に揺動し、接続部材５６が左右にスライドしても、横リンク部材５５には左右方向の力が加わらない。
【００３５】
図５に直線で示すように、第２横フィン４２の横枢支軸４６（図１参照）と第３横フィン４３の横枢支軸４６とを通る第１平面６１と、第４横フィン４４の横枢支軸４６と第５横フィン４５の横枢支軸４６とを通る第２平面６２とは平行である。第１横フィン４１の横枢支軸４６と第２横フィン４２の横枢支軸４６とを通る第３平面６３は、第１平面６１および第２平面６２と交叉する。第３横フィン４３の横枢支軸４６と第４横フィン４４の横枢支軸４６とを通る第４平面６４は、第１平面６１および第２平面６２と交叉する。すなわち、同じフィン組に属する横フィン４０の横枢支軸４６同士を通る平面と、互いに隣接し同じフィン組に属さない横フィン４０の横枢支軸４６同士を通る平面とは、交叉する。
【００３６】
図１および図２に示すように、リテーナ本体１０の下壁は、左右方向に延び前方に開口するガイド溝１５と、蝶番状をなすリテーナ側案内部１６とを持つ。リテーナ側案内部１６は、長尺の板状をなす揺動部１６０と、長尺の板状をなす従動部１６１とを持ち、揺動部１６０と従動部１６１とが長手方向に沿って軸支されてなる。
【００３７】
揺動部１６０は、従動部１６１と逆側の端部に、各横フィン４０と同様の左側枢支軸４６Ｌおよび右側枢支軸４６Ｒを持つ。揺動部１６０の右側枢支軸４６Ｒはリテーナ本体１０の右壁に枢支されている。揺動部１６０の左側枢支軸４６Ｌは、第５横フィン４５の左側枢支軸４６Ｌよりも前側下方の位置で、リテーナ本体１０の左壁に枢支されている。揺動部１６０の左側枢支軸４６Ｌの先端には、リテーナ側横リンク部４８が固着されている。リテーナ側横リンク部４８は、フィン側横リンク部４７と同様に、先端部４８０と連結部４８１とを持つ。リテーナ側横リンク部４８の先端部４８０は、横リンク部材５５に枢支されている。
【００３８】
従動部１６１は、揺動部１６０と逆側の端部に略円柱状のスライド係合部１６２を持つ。スライド係合部１６２は従動部１６１の長手方向に沿って延びている。スライド係合部１６２はガイド溝１５と係合しつつ、ガイド溝１５内を前後方向にスライドする。
【００３９】
実施例の空調用レジスタにおいて、各横フィン４０は図４に示す位置と図２に示す位置との間で同期して揺動する。図４に示す位置が横フィン４０の所定位置である。すなわち、実施例の空調用レジスタにおいて、図４に示す位置における横フィン４０と吹き出し面６５とのなす角αは、他の位置における横フィン４０と吹き出し面６５とのなす角βよりも小さい。以下、図４に示す横フィン４０の位置を下向位置と呼び、図２に示す横フィン４０の位置を上向位置と呼び、図３に示す横フィン４０の位置を中立位置と呼ぶ。
【００４０】
以下、実施例の空調用レジスタの動作を説明する。
【００４１】
上向位置において、横フィン４０は前側の端部を上方に向け、後側の端部を下方に向けている（図２）。したがって、横フィン４０は上向位置において空調空気の風向を上方に調整する。このとき、第１横フィン４１と第２横フィン４２との間隙Ｗ１、第２横フィン４２と第３横フィン４３との間隙Ｗ２、第３横フィン４３と第４横フィン４４との間隙Ｗ３、第４横フィン４４と第５横フィン４５との間隙Ｗ４が、それぞれ空調空気の流路となる。すなわち、互いに隣接する横フィン４０同士の間隙が空調空気の流路となる。
【００４２】
横フィン４０が図２に示す上向位置に配されている状態で、ユーザーが操作ノブ５に下方向の力を加えると、操作ノブ５は下方（図２中時計回り）に揺動する。操作ノブ５の横フィン駆動部５１に枢支されている横リンク部材５５は、操作ノブ５の揺動に伴って、上方に移動する。横リンク部材５５が上方に移動すると、フィン側横リンク部４７の先端部４７０が上方に押される。したがって、各横フィン４０はそれぞれ同期して、左側枢支軸４６Ｌおよび右側枢支軸４６Ｒを中心に図２中時計回りに揺動し、図３に示す中立位置に配される。
【００４３】
中立位置において、横フィン４０は前側の端部をやや上方に向け、後側の端部をやや下方に向けている（図３）。したがって、横フィン４０は中立位置において空調空気の風向をやや上方に調整する。このときにも、互いに隣接する横フィン４０同士の間隙（Ｗ１〜Ｗ４）が空調空気の流路となる。
【００４４】
横フィン４０が中立位置に配されている状態で、ユーザーが操作ノブ５にさらに下方向の力を加えると、操作ノブ５はさらに下方（図３中時計回り）に揺動する。したがって、各横フィン４０はそれぞれ同期して、左側枢支軸４６Ｌおよび右側枢支軸４６Ｒを中心に図２中時計回りに揺動し、図４に示す下向位置に配される。このとき、第１フィン組４０ａに属する横フィン４０同士（第２横フィン４２、第３横フィン４３）は直線的に連なる。第２フィン組４０ｂに属する横フィン４０同士（第４横フィン４４、第５横フィン４５）もまた直線的に連なる。
【００４５】
下向位置において、横フィン４０は前側の端部を下方に向け、後側の端部を上方に向けている（図４）。したがって、横フィン４０は下向位置において空調空気の風向を下方に調整する。
【００４６】
なお、下向位置においては、第１フィン組４０ａに属する横フィン４０同士（第２横フィン４２、第３横フィン４３）は直線的に連なり、第２横フィン組４０ｂに属する横フィン４０同士（第４横フィン４４、第５横フィン４５）もまた直線的に連なる。このため、第１横フィン４１と第２横フィン４２との間隙Ｗ１、および、第３横フィン４３と第４横フィン４４との間隙Ｗ３（互いに隣接し同じフィン組に属さない横フィン４０同士の間隙）が空調空気の流路となる。
【００４７】
実施例の空調用レジスタにおいて、横フィン４０の枚数は５枚であり、下向位置における横フィン４０の実質的な枚数は３枚（第１横フィン４１、第１フィン組４０ａ、第２フィン組４０ｂ）となる。したがって、実施例の空調用レジスタでは、下向位置における空調空気の流路を充分に確保できる。また実施例の空調用レジスタでは、下向位置において、第１横フィン４１と第２横フィン４２との重なり量は充分に大きく、第３横フィン４３と第４横フィン４４との重なり量は充分大きい（図４）。よって、空調空気の風向を精度高く調整することができる。
【００４８】
さらに、実施例の空調用レジスタでは、第１平面６１と第２平面６２とは平行であり、第３平面６３および第４平面６４は第１平面６１および第２平面６２と交叉する。したがって、下向位置において全ての横フィン４０が直線的に連なることはなく、空調空気の流路を充分に確保できる。
【００４９】
よって、実施例の空調用レジスタは、圧損の増大を抑制でき、騒音を低減でき、かつ、空調空気の風向を精度高く調整できる。
【００５０】
なお、実施例の空調用レジスタでは、横フィン４０を上向位置から下向位置に向けて揺動させるときには、リテーナ側案内部１６の揺動部１６０が、横フィン４０と同期して図２中時計回りに揺動する。従動部１６１は、揺動部１６０側の端部が揺動部１６０に引っ張られて、揺動部１６０側の端部を上方に向けつつ前方にスライドする。このため、リテーナ本体１０の下壁は、揺動部１６０を第５横フィン４５と平行な方向に向けつつ変形（縮径）する。したがって、第５横フィン４５とリテーナ１との間隙に形成される空調空気の流路は、隣接する横フィン４０同士の間隙に形成される空調空気の流路と平行になる。よって、実施例の空調用レジスタでは、横フィン４０だけでなくリテーナ１によっても空調空気の風向を調整できるため、空調空気の風向をより精度高く調整できる。
【００５１】
本発明の空調用レジスタにおいて、縦フィン３０は、所定角度に揺動したときに、隣接する縦フィン３０と接触するように形成しても良い。この場合には、隣接する縦フィン３０同士によって空調空気の流路を閉じることができ、本発明の空調用レジスタを所謂フィンシャット型の空調用レジスタにできる。
【００５２】
実施例の空調用レジスタでは、横フィン群４が縦フィン群３の後方に配されている。本発明の空調用レジスタでは、同じフィン組に属するフィンの枢支軸同士を通る平面と、互いに隣接し同じフィン組に属さないフィンの枢支軸同士を通る平面とは交叉しているため、横フィン群４は比較的意匠性に劣る。しかし、実施例の空調用レジスタでは、横フィン群４の前方に縦フィン群３が配されているため、横フィン群４はユーザーから視認され難い。したがって実施例の空調用レジスタは意匠性にも優れる。
【図面の簡単な説明】
【００５３】
【図１】実施例の空調用レジスタを模式的に表す分解斜視図である。
【図２】実施例の空調用レジスタの動作を説明する説明図である。
【図３】実施例の空調用レジスタの動作を説明する説明図である。
【図４】実施例の空調用レジスタの動作を説明する説明図である。
【図５】実施例の空調用レジスタの動作を説明する説明図である。
【図６】一般的な空調用レジスタの動作を模式的に表す説明図である。
【図７】一般的な空調用レジスタの動作を模式的に表す説明図である。
【図８】一般的な空調用レジスタの動作を模式的に表す説明図である。
【符号の説明】
【００５４】
１：リテーナ、２：フィン群、１２：吹き出し開口、４：横フィン群、４０：横フィン、４０ａ，４０ｂ：フィン組、４６Ｌ，４６Ｒ：枢支軸
【図１】
2007269114.tif 000003
【図２】
2007269114.tif 000004
【図３】
2007269114.tif 000005
【図４】
2007269114.tif 000006
【図５】
2007269114.tif 000007
【図６】
2007269114.tif 000008
【図７】
2007269114.tif 000009
【図８】
2007269114.tif 000010